(57)【特許請求の範囲】
【請求項１】
栽培豆類の茎葉部を後方上方に搬送する左右一対の搬送ベルトからなる搬送装置を備え、この搬送装置の搬送始端部側に、前記搬送ベルト間に形成される搬送経路に導入された栽培豆類の茎部を地面近くにおいて切断する前下がり傾斜の回転刈刃を、それの回転軸芯が搬送経路脇に位置する状態で配設された単一の回転刈刃で構成してある収穫機の刈取前処理部であって、
前記搬送ベルトを、作物の茎葉部を掻き込んで係止搬送するための搬送突起がベルト面から突出形成された搬送突起付きのベルトで構成するとともに、
この左右一対の搬送ベルトの始端側を前記搬送経路の入り口よりも前方側で夫々搬送経路から離れた外側に拡がる外開き形状に形成して、作物の茎葉部を、機体進行方向での前方側から後方側に至るほど順次掻き寄せて搬送経路の入り口部分に合流させるように構成し、
前記回転刈刃は、搬送経路に臨む前側刃先部分が、前記搬送経路の横幅方向での中央近くで、かつ前記合流箇所の近くで最下点となる傾斜姿勢に構成されている収穫機の刈取前処理部。
【発明の詳細な説明】
【０００１】
【発明の属する技術分野】
本発明は、大豆や小豆等の栽培豆類を地面近くで切断しながら収穫する収穫機の刈取前処理部に関する。
【０００２】
【従来の技術】
従来の収穫機の刈取前処理部では、栽培豆類の茎葉部を後方上方に搬送する搬送装置の搬送始端部側に、搬送経路に導入された栽培豆類の茎部を地面近くにおいて切断する回転刈刃を、それの回転軸芯が搬送経路脇に位置する状態で配設するとともに、前記回転刈刃を、それの回転軸芯を通る前後方向の線分と交差する最前端側の刃先部分が最も最下点となる前傾姿勢に構成していた。
【０００３】
【発明が解決しようとする課題】
この種の収穫機の刈取前処理部では、栽培豆類の種類や生育度合い、実の付け具合等の刈取条件に応じて、前記回転刈刃による栽培豆類の刈高さを調節する必要があり、その刈取条件によっては、栽培豆類を地面近傍位置で刈取ることが要望されることがある。
しかし、従来の刈取前処理部では、前記回転刈刃が、それの回転軸芯を通る前後方向の線分と交差する最前端側の刃先部分が最も最下点となる前傾姿勢に構成されていて、それから搬送経路側に偏位する刃先部分ほど地上高が次第に高くなるから、前記回転刈刃を、それの搬送経路に臨む前側刃先部分が畦上面等の地面近傍に位置するように刈高さを調節した際、それよりも低位に位置する回転刈刃の最前端側刃先部分が地面に食い込み易くなり、その結果、回転刈刃の寿命が低下するばかりでなく、駆動負荷が増大し、しかも、土の跳ね飛ばし量の増加によって収穫される栽培豆類が汚れ易くなる問題がある。
【０００４】
本発明は、上述の実状に鑑みて為されたものであって、その主たる課題は、前記回転刈刃の取付け姿勢を工夫するだけの簡単かつ経済的な改良をもって、回転刈刃の長寿命化と駆動負荷の軽減化とを図りながら、栽培豆類を土汚れの少ない状態で収穫することのできる収穫機の刈取前処理部を提供する点にある。
【０００５】
【課題を解決するための手段】
〔構成〕
本発明の請求項１による収穫機の刈取前処理部の特徴構成は、栽培豆類の茎葉部を後方上方に搬送する左右一対の搬送ベルトからなる搬送装置を備え、この搬送装置の搬送始端部側に、前記搬送ベルト間に形成される搬送経路に導入された栽培豆類の茎部を地面近くにおいて切断する前下がり傾斜の回転刈刃を、それの回転軸芯が搬送経路脇に位置する状態で配設された単一の回転刈刃で構成してある収穫機の刈取前処理部であって、
前記搬送ベルトを、作物の茎葉部を掻き込んで係止搬送するための搬送突起がベルト面から突出形成された搬送突起付きのベルトで構成するとともに、
この左右一対の搬送ベルトの始端側を前記搬送経路の入り口よりも前方側で夫々搬送経路から離れた外側に拡がる外開き形状に形成して、作物の茎葉部を、機体進行方向での前方側から後方側に至るほど順次掻き寄せて搬送経路の入り口部分に合流させるように構成し、
前記回転刈刃は、搬送経路に臨む前側刃先部分が、前記搬送経路の横幅方向での中央近くで、かつ前記合流箇所の近くで最下点となる傾斜姿勢に構成した点にある。
【０００６】
〔作用〕
上記特徴構成によれば、前記回転刈刃の回転軸芯を、収穫される栽培豆類の搬送に邪魔のならない搬送経路脇に配設しながらも、回転刈刃の刃先のうち、搬送経路に臨む前側刃先部分が最下点となり、搬送経路脇側に偏位する刃先部分ほど地上高が次第に高くなるから、前記回転刈刃を、それの搬送経路に臨む前側刃先部分が畦上面等の地面近傍に位置するように刈高さを調節した場合でも、他の部位の前側刃先部分が地面に食い込むことを抑制することができる。
【０００７】
〔効果〕
従って、前記回転刈刃の傾斜姿勢を工夫するだけの簡単かつ経済的な改良をもって、回転刈刃の長寿命化と駆動負荷の軽減化とを図りながら、栽培豆類を土汚れの少ない状態で収穫することができる。
【０００８】
【発明の実施の形態】
〔第１実施形態〕
図１〜図３は、大豆や小豆等の栽培豆類（栽培作物の一例）を刈取り脱穀処理する収穫機の一例であるコンバインを示し、左右一対のクローラ走行装置１を備えた走行機体Ａに、刈取られた豆類を脱穀処理する脱穀装置Ｂ、操縦部Ｃ、脱穀処理された一番穀物を貯蔵するホッパーＤ、エンジン等の原動部Ｅ等を配備するとともに、前記走行機体Ａの前部には、畦に栽培された二条の栽培豆類を地面近くで刈取って脱穀装置Ｂに搬送供給する刈取前処理部Ｆが、第１横軸芯Ｘ１周りで駆動昇降自在に連結されている。
【０００９】
前記刈取前処理部Ｆは、二条の栽培豆類をそれぞれ地面近くで刈取って後方に搬送するロークロップヘッダ２と、ロークロップヘッダ２から搬送されてくる二条分の刈取豆類を左右方向の一ケ所に寄せ集めて後方へ送り出すオーガ３と、オーガ３からの刈取豆類を脱穀装置Ｂへ搬送供給する供給コンベア４とから構成されている。
【００１０】
前記ロークロップヘッダ２は、オーガ３及び供給コンベア４を備えたプラットホームフレーム５の前端部に対して第２横軸芯Ｘ２周りで上下揺動自在に連結された刈取メインフレーム６に、刈取対象条の栽培豆類とそれに隣接する条の栽培豆類とを分草する分草デバイダー７と、分草デバイダー７で分草された二条の栽培豆類の茎葉部を搬送経路Ｗに沿って後方上方に挟持又は係止搬送する左右一対の搬送装置８と、各搬送装置８の搬送経路Ｗに導入された栽培豆類の茎部をそれぞれ搬送始端部側の地面近くにおいて切断する前下がり傾斜の円板状の回転刈刃９と、左右の回転刈刃９間の中間位置である畦間の地面上を転動するゲージ輪１０とを装備して構成されている。
【００１１】
また、前記プラットホームフレーム５に、第３軸芯Ｘ３周りで上下揺動自在な門の字状の刈取昇降フレーム１１を取付け、この刈取昇降フレーム１１の先端部側の左右二箇所とそれ対応する状態で刈取メインフレーム６の左右二箇所に設けたブラケット１２とに亘って、ロークロップヘッダ２を第２横軸芯Ｘ２周りで上下揺動自在に吊り下げ支持するための鎖状体１３を取付けるとともに、前記プラットホームフレーム５と刈取昇降フレーム１１との間には、ロークロップヘッダ２を第２横軸芯Ｘ２周りで上下方向に駆動揺動させる左右一対の昇降用油圧シリンダ１４を架設してある。
【００１２】
前記搬送装置８は、図４、図５に示すように、刈取メインフレーム６の一部を構成する状態で搬送経路Ｗの両側脇に沿って配設された前下がり傾斜姿勢の搬送ケース８Ａに、栽培豆類の茎葉部を挾持搬送又は係止搬送するための多数の搬送突起８ｂを備えた合成ゴム製の搬送ベルト８Ｂと、該搬送ベルト８Ｂを横回し形式で駆動回転自在に巻回する複数のプーリー８Ｃ等を組付けて構成されているとともに、前記搬送突起８ｂは、その先端側ほど搬送方向上手側（機体前方側）に位置するような後退角を付けた傾斜姿勢に構成されている。
【００１３】
そして、図４、図５に示すように、前記回転刈刃９の回転軸芯Ｙが搬送経路Ｗの横一側脇に位置するように、該回転刈刃９の回転軸１７を、搬送装置８の一方の搬送ケース８Ａに回転自在に支承するとともに、前記一方の搬送ケース８Ａには、走行機体Ａに搭載された刈刃駆動用油圧ポンプ１８からの圧油供給によって駆動される油圧モータ１９を設け、この油圧モータ１９の出力軸２０に設けた駆動スプロケット２１と回転刈刃９の回転軸１７に設けた受動スプロケット２２とに亘って伝動チェーン２３を巻回し、回転刈刃９を油圧モータ１９で駆動するように構成してある。
【００１４】
前記回転刈刃９は、図５、図６に示すように、搬送装置８の搬送経路Ｗに臨む前側刃先部分のうち、搬送経路Ｗの横幅中央又はほぼ中央位置に相当する前側刃先部分９ａが最下点となるように、側面視においては前下がりとなり、かつ、正面視においては搬送経路Ｗ側が低位となる傾斜姿勢に構成されている。
具体的には、前記回転刈刃９の側面視での水平線Ｐ１とのなす傾斜角度θ１が約１５〜２０度に、かつ、正面視では鉛直線Ｐ２に対する回転軸芯Ｙの傾斜角度（回転刈刃９の正面視での水平線とのなす傾斜角度）θ２が約５〜１０度に構成されている。
【００１５】
そして、前記回転刈刃９の刃先のうち、搬送経路Ｗの横幅中央又はほぼ中央位置に相当する前側刃先部分９ａが最下点となり、搬送経路Ｗの横一側脇に偏位する刃先部分ほど地上高が次第に高くなるから、刈高さ調節手段を構成する一対の昇降用油圧シリンダ１４を作動制御して、前記回転刈刃９を、それの搬送経路Ｗの横幅中央又はほぼ中央位置に臨む前側刃先部分９ａが畦上面等の地面近傍に位置するように刈高さを調節した場合でも、他の部位の前側刃先部分が地面に食い込むことを抑制することができる。
【００１６】
また、前記回転刈刃９の搬送経路Ｗに臨む前側刃先部分９ａが畦上面等の地面に接触又は食込んだとき、搬送経路Ｗの両側脇のうち、回転刈刃９の回転軸１７が存在しない他側脇の後方側でやや下方に向かって土が飛散し、かつ、搬送経路Ｗに沿って刈取られた豆類が後方上方に搬送されることも相俟って、刈取豆類に飛散土が掛かることを抑制することができる。
【００１７】
前記脱穀装置Ｂの脱穀処理室２５内には、図１及び図７に示すように、刈取豆類を脱穀処理する脱穀ロータ２６と抵抗板２７、前記供給コンベア４から送出されてくる刈取豆類を脱穀ロータ２６に供給する供給ベルト２８と供給ロール２９、脱穀ロータ２６側から落下してくる脱穀処理物を揺動選別する揺動選別装置３０、選別風を発生する唐箕３１を配設するとともに、選別された二番脱穀物を揺動選別装置３０に還元搬送する二番用バケットコンベア３２、選別された一番脱穀物を脱穀装置Ｂ外の前記ホッパーＤに搬送供給する一番用バケットコンベア３３とを設けてある。
【００１８】
また、前記脱穀装置Ｂの後部側の脱穀屑排出通路で、かつ、脱穀屑細断処理装置を取付け可能な部位には、脱穀屑細断処理装置を取付ける代わりにウエイト板３５が取り付けられているとともに、前記ホッパーＤの外側壁部には、貯蔵豆類を回収容器等に排出案内するシュート３６が、機体前後方向に沿う軸芯周りでの揺動により、ホッパーＤの底壁部に形成される排出口に接続された排出姿勢とホッパーＤの外側壁部に沿う格納姿勢とに切替え自在に設けられている。
【００１９】
また、前記走行機体Ａの右側後部で、かつ、ホッパーＤの下部空間形成箇所には、刈刃駆動系の作動油を専用に収納するオイルタンク３７を配設して、刈取前処理部Ｆとの前後バランスをとるためのウエイト手段に兼用構成してある。
【００２０】
〔その他の実施形態〕
（１）上述の第１実施形態では、前記回転刈刃９を油圧モータ１９で駆動するように構成したが、前記搬送装置８等から取り出された動力で回転刈刃９を駆動するように構成してもよい。
（２）上述の第１実施形態において、前記回転刈刃９の側面視での水平線Ｐ１とのなす傾斜角度θ１、及び、正面視では鉛直線Ｐ２に対する回転軸芯Ｙの傾斜角度（回転刈刃９の正面視での水平線とのなす傾斜角度）θ２を調節する角度調節手段を設けて実施してもよい。
【図面の簡単な説明】
【図１】本発明の第１実施形態を示すコンバイン全体の側面図
【図２】コンバイン全体の斜視図
【図３】一部切欠き背面図
【図４】搬送装置及び回転刈刃の拡大平面図
【図５】搬送装置及び回転刈刃の拡大斜視図
【図６】回転刈刃の傾斜角度を示す説明図
【図７】脱穀装置とホッパーの拡大分解側面図
【符号の説明】
Ｗ        搬送経路
Ｙ        回転軸芯
８        搬送装置
９        回転刈刃
９ａ      前側刃先部分
【図１】
0003540977.tif 000002
【図２】
0003540977.tif 000003
【図３】
0003540977.tif 000004
【図４】
0003540977.tif 000005
【図５】
0003540977.tif 000006
【図６】
0003540977.tif 000007
【図７】
0003540977.tif 000008